(57)【要約】  周波数分割多元接続方式により、上りリンクの信号を送信する移動局と通信を行う基地局装置に、前記上りリンクのランダムアクセスチャネルの周波数帯域の受信電力を測定する第１の判定手段、または、前記ランダムアクセスチャネルの受信数を測定する第２の測定手段を備えることにより達成される。基地局装置は、前記ランダムアクセスチャネルの周波数帯域の受信電力と前記ランダムアクセスチャネルの受信数の少なくとも１つに基づいて、前記ランダムアクセスチャネルの周波数帯域幅を制御、または前記ランダムアクセスチャネルを規制する。
2008087941.tif 000002
【特許請求の範囲】
【請求項１】
上りリンクにおいて移動局とランダムアクセスチャネルを用いた通信を行う基地局装置であって：
前記ランダムアクセスチャネルの周波数帯域の受信電力を測定する第1の測定手段；
を備える基地局装置。
【請求項２】
前記ランダムアクセスチャネルの受信数を測定する第２の測定手段；
を更に備える請求項１に記載の基地局装置。
【請求項３】
前記ランダムアクセスチャネルの周波数帯域の受信電力と前記ランダムアクセスチャネルの受信数の少なくとも１つに基づいて、前記ランダムアクセスチャネルの無線リソースを制御する無線リソース制御手段；
を更に備える請求項２に記載の基地局装置。
【請求項４】
前記無線リソース制御手段は、
前記ランダムアクセスチャネルの周波数帯域の受信電力が所定の閾値よりも大きい場合、または、前記ランダムアクセスチャネルの受信数が所定の閾値よりも大きい場合に、前記ランダムアクセスチャネルの無線リソースを大きくし、
前記ランダムアクセスチャネルの周波数帯域の受信電力が所定の閾値よりも小さい場合、または、前記ランダムアクセスチャネルの受信数が所定の閾値よりも小さい場合に、前記ランダムアクセスチャネルの無線リソースを小さくする請求項３に記載の基地局装置。
【請求項５】
前記無線リソースとは、
周波数領域または、時間領域の無線リソースであることを特徴とする請求項３に記載の基地局装置。
【請求項６】
前記ランダムアクセスチャネルの周波数帯域の受信電力と前記ランダムアクセスチャネルの受信数の少なくとも１つに基づいて、前記ランダムアクセスチャネルの送信を規制する規制手段；
を更に備える請求項２に記載の基地局装置。
【請求項７】
前記ランダムアクセスチャネルの無線リソースを変更することを通知する報知チャネルを送信する報知チャネル送信手段；
を更に備える請求項３に記載の基地局装置。
【請求項８】
前記ランダムアクセスチャネルの周波数帯域の受信電力と前記ランダムアクセスチャネルの受信数の少なくとも１つに基づいて、前記ランダムアクセスチャネルの無線リソースを変更することを決定する決定手段；
前記ランダムアクセスチャネルの無線リソースを変更することを通知する報知チャネルを送信する報知チャネル送信手段；
を更に備える請求項２に記載の基地局装置。
【請求項９】
前記ランダムアクセスチャネルの周波数帯域の受信電力と前記ランダムアクセスチャネルの受信数の少なくとも１つに基づいて、前記ランダムアクセスチャネルの送信を規制する規制ことを決定する決定手段；
前記ランダムアクセスチャネルの送信を規制することを通知する報知チャネルを送信する報知チャネル送信手段；
を更に備える請求項２に記載の基地局装置。
【請求項１０】
前記第１の測定手段は、前記ランダムアクセスチャネルの周波数帯域の受信電力として、熱雑音を含む干渉電力と信号電力の和を測定する請求項１乃至９のうちいずれか１項に記載の基地局装置。
【請求項１１】
上りリンクにおいて移動局とランダムアクセスチャネルを用いた通信を行う基地局装置であって：
前記ランダムアクセスチャネルの無線リソースを変更することを通知する報知チャネルを送信する報知チャネル送信手段；
を備える基地局装置。
【請求項１２】
上りリンクにおいて基地局装置とランダムアクセスチャネルを用いた通信を行う移動局であって：
前記基地局装置が、前記ランダムアクセスチャネルの周波数帯域の受信電力と前記ランダムアクセスチャネルの受信数の少なくとも１つに基づいて、前記ランダムアクセスチャネルの送信を規制すると決定し、前記ランダムアクセスチャネルの送信を規制することを通知する報知チャネルを送信する場合に、
前記ランダムアクセスチャネルの送信を停止するランダムアクセスチャネル停止手段；
を備える移動局。
【請求項１３】
上りリンクにおいて基地局装置とランダムアクセスチャネルを用いた通信を行う移動局であって：
前記基地局装置が、前記ランダムアクセスチャネルの周波数帯域の受信電力と前記ランダムアクセスチャネルの受信数の少なくとも１つに基づいて、前記ランダムアクセスチャネルの無線リソースを変更することを決定し、前記ランダムアクセスチャネルの無線リソースを変更することを通知する報知チャネルを送信する場合に、
前記報知チャネルを受信する報知チャネル受信手段；
変更後の無線リソースにおいて、前記ランダムアクセスチャネルを送信するランダムアクセスチャネル送信手段；
を備える移動局。
【請求項１４】
上りリンクにおいて基地局装置とランダムアクセスチャネルを用いた通信を行う移動局であって：
前記基地局装置が、前記ランダムアクセスチャネルの無線リソースを変更することを通知する報知チャネルを送信する場合に、
前記報知チャネルを受信する報知チャネル受信手段；
変更後の無線リソースにおいて、前記ランダムアクセスチャネルを送信するランダムアクセスチャネル送信手段；
を備える移動局。
【請求項１５】
移動局と、前記移動局と上りリンクにおいてランダムアクセスチャネルを用いた通信を行う基地局装置とを具備する移動通信システムであって：
前記基地局装置が、
前記ランダムアクセスチャネルの周波数帯域の受信電力と前記ランダムアクセスチャネルの受信数の少なくとも１つに基づいて、前記ランダムアクセスチャネルの無線リソースを変更することを決定する決定手段；
前記ランダムアクセスチャネルの無線リソースを変更することを通知する報知チャネルを送信する報知手段；
を備え、
前記基地局装置及び前記移動局が、
変更後の無線リソースにおいて、前記ランダムアクセスチャネルを用いた通信を行う通信手段；
を備える移動通信システム。
【請求項１６】
移動局と、前記移動局と上りリンクにおいてランダムアクセスチャネルを用いた通信を行う基地局装置とを具備する移動通信システムであって：
前記基地局装置が、
前記ランダムアクセスチャネルの無線リソースを変更することを通知する報知チャネルを送信する報知チャネル送信手段；
を備え、
前記基地局装置及び前記移動局が、
変更後の無線リソースにおいて、前記ランダムアクセスチャネルを用いた通信を行う通信手段；
を備える移動通信システム。
【請求項１７】
上りリンクにおいて移動局とランダムアクセスチャネルを用いた通信を行う基地局装置における通信制御方法であって：
前記ランダムアクセスチャネルの周波数帯域の受信電力を測定する第１のステップ；
前記ランダムアクセスチャネルの受信数を測定する第２のステップ；
前記ランダムアクセスチャネルの周波数帯域の受信電力と前記ランダムアクセスチャネルの受信数の少なくとも１つに基づいて、前記ランダムアクセスチャネルの無線リソースを変更することを決定する第３のステップ；
前記ランダムアクセスチャネルの無線リソースを変更することを通知する報知チャネルを送信する第４のステップ；
を有する通信制御方法。
【請求項１８】
上りリンクにおいて移動局とランダムアクセスチャネルを用いた通信を行う基地局装置であって：
個別に割り当てられたランダムアクセス系列で送信されたランダムアクセスチャネルの受信数を測定する第1の測定手段；
複数のランダムアクセス系列の内、ランダムに選択されたランダムアクセス系列で送信されたランダムアクセスチャネルの受信数を測定する第1の測定手段；
を備える基地局装置。
【請求項１９】
上りリンクにおいて移動局とランダムアクセスチャネルを用いた通信を行う基地局装置であって：
個別に割り当てられたランダムアクセス系列で送信されたランダムアクセスチャネルの受信数を測定する第1の測定手段と；
前記受信数に基づいて、個別に割り当てられたランダムアクセス系列の領域と、ランダムに選択されるランダムアクセス系列の領域とを制御する系列領域制御手段；
を備える基地局装置。
【請求項２０】
上りリンクにおいて移動局とランダムアクセスチャネルを用いた通信を行う基地局装置であって：
優先度の高い、ランダムに選択されるランダムアクセス系列で送信されたランダムアクセスチャネルの受信数を測定する第1の測定手段と；
前記受信数に基づいて、優先度の高い、ランダムに選択されるランダムアクセス系列の領域と、優先度の低い、ランダムに選択されるランダムアクセス系列の領域と、を制御する系列領域制御手段；
を備える基地局装置。
【請求項２１】
上りリンクにおいて移動局とランダムアクセスチャネルを用いた通信を行う基地局装置であって：
無線品質の高い、ランダムに選択されるランダムアクセス系列で送信されたランダムアクセスチャネルの受信数を測定する第1の測定手段と；
前記受信数に基づいて、無線品質の高い、ランダムに選択されるランダムアクセス系列の領域と、無線品質の低い、ランダムに選択されるランダムアクセス系列の領域と、を制御する系列領域制御手段；
を備える基地局装置。
【発明の詳細な説明】
【技術分野】
【０００１】
本発明は、基地局装置、移動局、移動通信システム及びランダムアクセス制御方法に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）が、Ｗ−ＣＤＭＡの標準化団体３ＧＰＰにより検討されている。この中で、無線アクセス方式として、下りリンクについてはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
既存のＷ−ＣＤＭＡの上りリンクは、非直交システムであり、かつ全チャネルが同一の周波数帯域、すなわち、全システム帯域を用いて通信が行われる。例えば、上りリンクにおける初期接続の確立に用いられるランダムアクセスチャネル（ＲＡＣＨ: Ｒａｎｄｏｍ  Ａｃｃｅｓｓ  Ｃｈａｎｎｅｌ)は、同一システム内において、コード多重、時間多重の組み合わせにより送信される。ここで、ランダムアクセスチャネルとは、衝突許容チャネル（ｃｏｎｔｅｎｔｉｏｎ  ｂａｓｅｄ  ｃｈａｎｎｅｌ）とも呼ばれ、リソース割当を要求する意思表示等を行うためのチャネルとして、移動局から任意のタイミングで送信することができる。【０００６】
すなわち、Ｗ−ＣＤＭＡシステムでは、通常のデータチャネルとランダムアクセスチャネルは、同一の周波数帯域、すなわち、全システム帯域で送信され、かつ、互いに直交されずに送信される。よって、通常のデータチャネルとランダムアクセスチャネルのそれぞれに関して、周波数方向のリソースを管理する必要はない。また、上りリンクの干渉量を測定するときには、全チャネルが含まれる全システム帯域の干渉量を測定することになるため、通常のデータチャネルの干渉量か、ランダムアクセスチャネルの干渉量かを区別する必要はない。【０００７】
これに対し、ＬＴＥシステムでは、上述のように、上りリンクの無線アクセス方式として検討されているＳＣ−ＦＤＭＡは直交システムであり、例えば、ランダムアクセスチャネルと、通常のデータチャネルは、異なる周波数帯域を用いて送信される。
【非特許文献１】3GPP TR 25.814 (V7.0.0), "Physical Layer Aspects for Evolved UTRA," June 2006
【発明の開示】
【発明が解決しようとする課題】
【０００８】
上述したように、ＬＴＥシステムでは、上りリンクの無線アクセス方式が直交システムであり、ランダムアクセスチャネルと、通常のデータチャネルは、異なる周波数帯域を用いて送信される。したがって、従来のＷ−ＣＤＭＡシステムにおける、通常のデータチャネルとランダムアクセスチャネルのそれぞれに関して、周波数方向のリソースを管理しないという方法では問題が生じる。また、従来のＷ−ＣＤＭＡシステムにおける全システム帯域の干渉量を測定する方法では、ランダムアクセスチャネルに対する干渉量を正確に測定することができないという問題点がある。【０００９】
そこで、本発明は、上述した課題に鑑み、その目的として、ＬＴＥシステムの上りリンクにおける、ランダムアクセスチャネルの干渉量を測定し、かつ、ランダムアクセスチャネルを送信する周波数リソースを管理する基地局装置、移動局、移動通信システム及びランダムアクセス制御法を提供することにある。
【課題を解決するための手段】
【００１０】
上記課題を解決するため、本発明の基地局装置は、
上りリンクにおいて移動局とランダムアクセスチャネルを用いた通信を行う基地局装置であって：
前記ランダムアクセスチャネルの周波数帯域の受信電力を測定する第1の測定手段；
を備えることを特徴の１つとする。【００１１】
本発明の他の基地局装置は、
前記ランダムアクセスチャネルの受信数を測定する第２の測定手段；
を更に備えてもよい。【００１２】
本発明の他の基地局装置は、
前記ランダムアクセスチャネルの周波数帯域の受信電力と前記ランダムアクセスチャネルの受信数の少なくとも１つに基づいて、前記ランダムアクセスチャネルの周波数帯域幅を制御する周波数帯域幅制御手段；
を更に備えてもよい。【００１３】
本発明の他の基地局装置は、
前記ランダムアクセスチャネルの周波数帯域の受信電力と前記ランダムアクセスチャネルの受信数の少なくとも１つに基づいて、前記ランダムアクセスチャネルの送信を規制する規制手段；
を更に備えてもよい。【００１４】
本発明の他の基地局装置は、
前記ランダムアクセスチャネルの周波数帯域幅を変更することを通知する報知チャネルを送信する報知チャネル送信手段；
を更に備えてもよい。【００１５】
また、上記課題を解決するため、本発明の基地局装置は、
上りリンクにおいて移動局とランダムアクセスチャネルを用いた通信を行う基地局装置であって：
前記ランダムアクセスチャネルの周波数帯域幅を変更することを通知する報知チャネルを送信する報知チャネル送信手段；
を備えることを特徴の１つとする。【００１６】
また、上記課題を解決するため、本発明の移動局は、
上りリンクにおいて基地局装置とランダムアクセスチャネルを用いた通信を行う移動局であって：
前記基地局装置が、前記ランダムアクセスチャネルの周波数帯域の受信電力と前記ランダムアクセスチャネルの受信数の少なくとも１つに基づいて、前記ランダムアクセスチャネルの送信を規制すると決定し、前記ランダムアクセスチャネルの送信を規制することを通知する報知チャネルを送信する場合に、
前記ランダムアクセスチャネルの送信を停止するランダムアクセスチャネル停止手段；
を備えることを特徴の１つとする。【００１７】
さらに、上記課題を解決するため、本発明の移動局は、
上りリンクにおいて基地局装置とランダムアクセスチャネルを用いた通信を行う移動局であって：
前記基地局装置が、前記ランダムアクセスチャネルの周波数帯域の受信電力と前記ランダムアクセスチャネルの受信数の少なくとも１つに基づいて、前記ランダムアクセスチャネルの周波数帯域幅を変更することを決定し、前記ランダムアクセスチャネルの周波数帯域幅を変更することを通知する報知チャネルを送信する場合に、
前記報知チャネルを受信する報知チャネル受信手段；
変更後の周波数帯域において、前記ランダムアクセスチャネルを送信するランダムアクセスチャネル送信手段；
を備えることを特徴の１つとする。【００１８】
また、上記課題を解決するため、本発明の移動局は、
上りリンクにおいて基地局装置とランダムアクセスチャネルを用いた通信を行う移動局であって：
前記基地局装置が、前記ランダムアクセスチャネルの周波数帯域幅を変更することを通知する報知チャネルを送信する場合に、
前記報知チャネルを受信する報知チャネル受信手段；
変更後の周波数帯域において、前記ランダムアクセスチャネルを送信するランダムアクセスチャネル送信手段；
を備えることを特徴の１つとする。【００１９】
また、上記課題を解決するため、本発明の移動通信システムは、
移動局と、前記移動局と上りリンクにおいてランダムアクセスチャネルを用いた通信を行う基地局装置とを具備する移動通信システムであって：
前記基地局装置が、
前記ランダムアクセスチャネルの周波数帯域の受信電力と前記ランダムアクセスチャネルの受信数の少なくとも１つに基づいて、前記ランダムアクセスチャネルの周波数帯域幅を変更することを決定する決定手段；
前記ランダムアクセスチャネルの周波数帯域幅を変更することを通知する報知チャネルを送信する報知手段；
を備え、
前記基地局装置及び前記移動局が、
変更後の周波数帯域において、前記ランダムアクセスチャネルを用いた通信を行う通信手段；
を備えることを特徴の１つとする。【００２０】
また、上記課題を解決するため、本発明の移動通信システムは、
移動局と、前記移動局と上りリンクにおいてランダムアクセスチャネルを用いた通信を行う基地局装置とを具備する移動通信システムであって：
前記基地局装置が、
前記ランダムアクセスチャネルの周波数帯域幅を変更することを通知する報知チャネルを送信する報知チャネル送信手段；
を備え、
前記基地局装置及び前記移動局が、
変更後の周波数帯域において、前記ランダムアクセスチャネルを用いた通信を行う通信手段；
を備えることを特徴の１つとする。【００２１】
また、上記課題を解決するため、本発明の通信制御方法は、
上りリンクにおいて移動局とランダムアクセスチャネルを用いた通信を行う基地局装置における通信制御方法であって：
前記ランダムアクセスチャネルの周波数帯域の受信電力を測定する第１のステップ；
前記ランダムアクセスチャネルの受信数を測定する第２のステップ；
前記ランダムアクセスチャネルの周波数帯域の受信電力と前記ランダムアクセスチャネルの受信数の少なくとも１つに基づいて、前記ランダムアクセスチャネルの周波数帯域幅を変更することを決定する第３のステップ；
前記ランダムアクセスチャネルの周波数帯域幅を変更することを通知する報知チャネルを送信する第４のステップ；
を有することを特徴の１つとする。【００２２】
また、上記課題を解決するため、本発明の基地局装置は、
上りリンクにおいて移動局とランダムアクセスチャネルを用いた通信を行う基地局装置であって：
個別に割り当てられたランダムアクセス系列で送信されたランダムアクセスチャネルの受信数を測定する第1の測定手段；
複数のランダムアクセス系列の内、ランダムに選択されたランダムアクセス系列で送信されたランダムアクセスチャネルの受信数を測定する第1の測定手段；
を備えることを特徴の１つとする。【００２３】
また、上記課題を解決するため、本発明の基地局装置は、
上りリンクにおいて移動局とランダムアクセスチャネルを用いた通信を行う基地局装置であって：
個別に割り当てられたランダムアクセス系列で送信されたランダムアクセスチャネルの受信数を測定する第1の測定手段と；
前記受信数に基づいて、個別に割り当てられたランダムアクセス系列の領域と、ランダムに選択されるランダムアクセス系列の領域とを制御する系列領域制御手段；
を備えることを特徴の１つとする。【００２４】
また、上記課題を解決するため、本発明の基地局装置は、
上りリンクにおいて移動局とランダムアクセスチャネルを用いた通信を行う基地局装置であって：
優先度の高い、ランダムに選択されるランダムアクセス系列で送信されたランダムアクセスチャネルの受信数を測定する第1の測定手段と；
前記受信数に基づいて、優先度の高い、ランダムに選択されるランダムアクセス系列の領域と、優先度の低い、ランダムに選択されるランダムアクセス系列の領域と、を制御する系列領域制御手段；
を備えることを特徴の１つとする。
【発明の効果】
【００２５】
本発明の実施例によれば、上りリンクにおける、ランダムアクセスチャネルの干渉量を正確に測定でき、かつ、効率よくリソースを管理することができる基地局装置、移動局、移動通信システム及び通信制御方法を実現できる。
【図面の簡単な説明】
【００２６】
【図１】本発明の実施例にかかる無線通信システムの構成を示すブロック図である。
【図２】上り制御チャネルのマッピングの一例を示す説明図である。
【図３】スロット及びサブフレームの構成を示す説明図である。
【図４】スロット及びサブフレームの構成を示す説明図である。
【図５】ランダムアクセスチャネルの多重方法の例である。
【図６】ランダムアクセスチャネルのフレームフォーマットの例である。
【図７】本発明の一実施例に係る基地局装置を示す部分ブロック図である。
【図８】本発明の一実施例に係る基地局装置のベースバンド信号処理部を示す部分ブロック図である。
【図９】本発明の一実施例に係る移動局装置を示す部分ブロック図である。
【図１０】本発明の一実施例に係る通信制御方法を示すフロー図である。
【図１１】本発明の一実施例に係る通信制御方法を示すフロー図である。
【図１２】本発明の一実施例に係る通信制御方法を示すフロー図である。
【図１３】本発明の一実施例に係る通信制御方法を示すフロー図である。
【符号の説明】
【００２７】
５０  セル
１００１、１００２、１００３、１００ｎ  移動局
１０２  送受信アンテナ
１０４  アンプ部
１０６  送受信部
１０８  ベースバンド信号処理部
１１０  呼処理部
１１２  アプリケーション部
２００  基地局装置
２０２  送受信アンテナ
２０４  アンプ部
２０６  送受信部
２０８  ベースバンド処理部
２１０  呼処理部
２１２  伝送路インターフェース
２０８１  レイヤー１処理部
２０８２  ＭＡＣ処理部
２０８３  ＲＬＣ処理部
２０８４  ＲＡＣＨリソース管理部
３００  アクセスゲートウェイ装置
４００  コアネットワーク
１０００  無線通信システム
【発明を実施するための最良の形態】
【００２８】
次に、本発明を実施するための最良の形態を、以下の実施例に基づき図面を参照しつつ説明する。なお、実施例を説明するための全図において、同一機能を有するものは同一符号を用い、繰り返しの説明は省略する。【００２９】
本発明の実施例に係る基地局装置が適用される無線通信システムについて、図１を参照して説明する。【００３０】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、基地局装置（ｅＮＢ：  ｅＮｏｄｅ  Ｂ）２００と複数の移動局（ＵＥ：  Ｕｓｅｒ  Ｅｑｕｉｐｍｅｎｔ）１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。【００３１】
ここで、移動局１００ｎの中には、セル５０において基地局装置２００とＥｖｏｌｖｅｄ  ＵＴＲＡ  ａｎｄ  ＵＴＲＡＮにより通信を行っている状態の移動局と、セル５０において基地局装置２００とＥｖｏｌｖｅｄ  ＵＴＲＡ  ａｎｄ  ＵＴＲＡＮにより通信を行っていない状態の移動局の両方が存在することとする。例えば、セル５０において基地局装置２００とＥｖｏｌｖｅｄ  ＵＴＲＡ  ａｎｄ  ＵＴＲＡＮにより通信を行っていない状態の移動局は、ランダムアクセスチャネルを基地局装置２００に送信することにより、通信を開始するための手順を行う。また、セル５０において基地局装置２００とＥｖｏｌｖｅｄ  ＵＴＲＡ  ａｎｄ  ＵＴＲＡＮにより通信を行っている状態の移動局も、ハンドオーバや上りリンクのスケジューリング要求、上り同期確立要求等の目的でランダムアクセスチャネルを送ることがある。【００３２】
以下、移動局１００ｎ（１００１、１００２、１００３、・・・１００ｎ）については、同一の構成、機能、状態を有するので、以下では特段の断りがない限り移動局１００ｎとして説明を進める。【００３３】
無線通信システム１０００は、無線アクセス方式として、下りリンクについてはＯＦＤＭ（周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。【００３４】
ここで、Ｅｖｏｌｖｅｄ  ＵＴＲＡ  ａｎｄ  ＵＴＲＡＮにおける通信チャネルについて説明する。【００３５】
下りリンクについては、各移動局１００ｎで共有して使用される下り共有物理チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネル（PDCCH: Physical Downlink Control Channel）とが用いられる。すなわち、下りチャネルは、下り共有物理チャネルとＬＴＥ用の下り制御チャネルとを指す。下りリンクでは、ＬＴＥ用の下り制御チャネルにより、下り共有物理チャネルにマッピングされるユーザの情報やトランスポートフォーマットの情報、上り共有物理チャネルにマッピングされるユーザの情報やトランスポートフォーマットの情報、上り共有物理チャネルの送達確認情報などが通知され、下り共有物理チャネルによりユーザデータが伝送される。【００３６】
上りリンクについては、各移動局１００ｎで共有して使用される上り共有物理チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。すなわち、上りチャネルは、上り共有物理チャネルとＬＴＥ用の上り制御チャネルとを指す。尚、上り制御チャネルには、上り共有物理チャネルと時間多重されるチャネルと、周波数多重されるチャネルの２種類がある。【００３７】
図２に、上り制御チャネルのマッピングを示す。尚、図２において、周波数多重されている上り制御チャネルは、サブフレーム内の２つのスロット間で、マッピングされる位置が異なる（周波数ホッピングが行われる）。図２において、５００は上り共有物理チャネルを示し、５１０は上り共有物理チャネルと周波数多重される場合を示し、５２０は上り共有物理チャネルと時間多重される場合を示す。【００３８】
上りリンクでは、ＬＴＥ用の上り制御チャネルにより、下りリンクにおける共有物理チャネルのスケジューリング、適応変復調・符号化（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの共有物理チャネルの送達確認情報（ＨＡＲＱ  ＡＣＫ  ｉｎｆｏｒｍａｔｉｏｎ）が伝送される。また、上り共有物理チャネルによりユーザデータが伝送される。【００３９】
上りリンク伝送では、１スロット当たり７個のロングブロック（ＬＢ：  Ｌｏｎｇ  Ｂｌｏｃｋ）を用いることが検討されている。そして、１サブフレームは、２スロットで構成される。すなわち、１サブフレームは、図３に示すように、１４個のロングブロックにより構成される。上記１４個のロングブロックの内の２個のロングブロックには、データ復調用のリファレンス信号（Ｄｅｍｏｄｕｌａｔｉｏｎ  Ｒｅｆｅｒｅｎｃｅ  Ｓｉｇｎａｌ）がマッピングされる。また、上記１４個の内の、上述したＤｅｍｏｄｕｌａｔｉｏｎ  Ｒｅｆｅｒｅｎｃｅ  Ｓｉｇｎａｌがマッピングされているロングブロック以外の１つのロングブロックにおいて、スケジューリングや上りリンクのＡＭＣ、ＴＰＣなど上り共有物理チャネルの送信フォーマットの決定に用いられるサウンディング用のリファレンス信号（Ｓｏｕｎｄｉｎｇ  Ｒｅｆｅｒｅｎｃｅ  Ｓｉｇｎａｌ）が送信される。上記Ｓｏｕｎｄｉｎｇ  Ｒｅｆｅｒｅｎｃｅ  Ｓｉｇｎａｌが送信されるロングブロックにおいては、Ｃｏｄｅ Ｄｉｖｉｓｉｏｎ Ｍｕｌｔｉｐｌｅｘｉｎｇ（ＣＤＭ）により複数の移動局からのＳｏｕｎｄｉｎｇ  Ｒｅｆｅｒｅｎｃｅ  Ｓｉｇｎａｌが多重される。上記Ｄｅｍｏｄｕｌａｔｉｏｎ  Ｒｅｆｅｒｅｎｃｅ  Ｓｉｇｎａｌは、例えば、１サブフレーム内の４番目のロングブロックと１１番目のロングブロックにマッピングされる。また、上記Ｓｏｕｎｄｉｎｇ  Ｒｅｆｅｒｅｎｃｅ  Ｓｉｇｎａｌは、例えば、１サブフレーム内の１番目のロングブロックにマッピングされる。尚、上述したロングブロックは、ＳＣ−ＦＤＭＡシンボルと呼ばれてもよい。【００４０】
あるいは、上りリンクにおける伝送フォーマットとして、各スロット当たり２個のショートブロック（ＳＢ：  Ｓｈｏｒｔ  Ｂｌｏｃｋ）と６個のロングブロックを用いることも検討されている。そして、１サブフレームは、２スロットで構成される。すなわち、１サブフレームは、図４に示すように、４個のショートブロックと１２個のロングブロックにより構成される。上記１２個のロングブロックの内の１個のロングブロックには、Ｓｏｕｎｄｉｎｇ  Ｒｅｆｅｒｅｎｃｅ  Ｓｉｇｎａｌがマッピングされる。上記Ｓｏｕｎｄｉｎｇ  Ｒｅｆｅｒｅｎｃｅ  Ｓｉｇｎａｌが送信されるロングブロックにおいては、ＣＤＭにより複数の移動局からのＳｏｕｎｄｉｎｇ  Ｒｅｆｅｒｅｎｃｅ  Ｓｉｇｎａｌが多重される。４個のショートブロックは、Ｄｅｍｏｄｕｌａｔｉｏｎ  Ｒｅｆｅｒｅｎｃｅ  Ｓｉｇｎａｌの伝送に使用される。上記Ｄｅｍｏｄｕｌａｔｉｏｎ  Ｒｅｆｅｒｅｎｃｅ  Ｓｉｇｎａｌは、例えば、１サブフレーム内の４個のショートブロックにマッピングされる。また、上記Ｓｏｕｎｄｉｎｇ  Ｒｅｆｅｒｅｎｃｅ  Ｓｉｇｎａｌは、例えば、１サブフレーム内の１番目のロングブロックにマッピングされる。【００４１】
上りリンクにおいて、各移動局１００ｎは、周波数方向はリソースブロック（Ｒｅｓｏｕｒｃｅ  Ｂｌｏｃｋ）単位、時間方向はサブフレーム単位でデータ送信を行う。ＬＴＥにおいては、１リソースブロックの周波数帯域幅は１８０ｋＨｚである。【００４２】
以下に、ＬＴＥシステムにおけるランダムアクセスチャネルの説明を行う。【００４３】
ＬＴＥシステムにおけるランダムアクセスチャネルは、予め基地局から報知チャネルで通知された周波数帯域、時間区間を用いて、リソースブロックに多重される。図５に、ランダムアクセスチャネルの多重方法の例を示す。ＬＴＥでは、ランダムアクセスチャネルの伝送特性を検討した結果、６つのリソースブロックをランダムアクセスチャネルの送信領域、すなわち、周波数帯域として割り当てる案が有力となっている。ここで、上記６つのリソースブロックからなる周波数帯域は、１つの、ランダムアクセスチャネルが送信される周波数帯域であり、複数の、ランダムアクセスチャネルが送信される周波数帯域を設定することが可能である。すなわち、上記６つのリソースブロックからなる周波数帯域を、１つの物理ランダムアクセスチャネルと定義した場合に、１つ以上の物理ランダムアクセスチャネルを設定することが可能である。【００４４】
例えば、２個のランダムアクセスチャネルが送信される周波数帯域（２個の物理ランダムアクセスチャネル）を設定する場合には、６個のリソースブロックからなる周波数帯域（１個の物理ランダムアクセスチャネル）と、６個のリソースブロックんからなる周波数帯域（１個の物理ランダムアクセスチャネル）が設定される。上記２個のランダムアクセスチャネルが送信される周波数帯域（２個の物理ランダムアクセスチャネル）は、隣接して設定されてもよいし、分離して設定されてもよい。【００４５】
あるいは、ランダムアクセスチャネルは、時間方向に、その数が変更されてもよい。例えば、表１に示すようなランダムアクセスチャネルの送信パターンが定義され、報知情報によって、前記送信パターンが指定されてもよい。【００４６】
【表１】
2008087941.tif 000003
また、ランダムアクセスチャネルは、セル端から送信された場合でも相関演算によって検出できるように、時間方向の信号長が長く設計されている。図６は、ランダムアクセスチャネルのフレームフォーマットの一例である。図６の例では、ランダムアクセスチャネルの信号長は０．８ｍｓであり、０．１ｍｓのＣＰ（Ｃｙｃｌｉｃ  Ｐｒｅｆｉｘ）および０．１ｍｓのガードタイムが設けられている。また、図の例では、ランダムアクセスチャネルの信号はプリアンブル系列のみを用いて構成されている。【００４７】
また、ところで、ＬＴＥのランダムアクセスチャネルにおいては、個別に割り当てられる個別プリアンブルと、ランダムに送信されるプリアンブルが存在する。個別プリアンブルは、例えば、ハンドオーバを行う際に、ハンドオーバ先の基地局装置にアクセスする場合に、そのハンドオーバを行う移動局に個別のプリアンブルが指定される。この場合、他の移動局が上記個別のプリアンブルを用いることがないため、ランダムアクセスチャネルの衝突が発生せず、結果として、安定した通信を実現することが可能となる。一方、ランダムに送信されるプリアンブルは、通常のランダムアクセスと同様に、複数のプリアンブルの中から、ランダムに選択されて、送信される。【００４８】
個別プリアンブルとランダムに送信されるプリアンブルは、プリアンブルのIDで区別される。例えば、６４個のプリアンブル系列が存在し、０から６３のプリアンブルのIDが存在する場合に、０〜１５を個別プリアンブルとし、１６〜６３をランダムに送信されるプリアンブルとすることが可能である。以下では、０〜１５のような、個別プリアンブルのIDの範囲を、個別プリアンブルの領域と呼び、１６〜６３のような、ランダムに送信されるプリアンブルのIDの範囲を、ランダムに送信されるプリアンブルの領域と呼ぶ。【００４９】
例えば、ある移動局がハンドオーバを行う際に、基地局装置は、IDが０〜１５の個別プリアンブルの内の1個のプリアンブルを選択し、上記プリアンブルのIDを上記移動局に通知する。そして、上記移動局は、上記指定されたプリアンブルを用いてランダムアクセスを行う。【００５０】
一方、例えば、ある移動局がイニシャルアクセスを行う際に、移動局は、IDが１６〜６３の、ランダムに送信されるプリアンブルの内の1個のプリアンブルをランダムに選択し、上記選択されたプリアンブルを用いてランダムアクセスを行う。【００５１】
また、上記ランダムに送信されるプリアンブルの中には、優先度の高いプリアンブルと優先度の低いプリアンブルに分けられることもできる。例えば、６４個のプリアンブル系列が存在し、０から６３のプリアンブルのIDが存在する場合に、０〜１５を個別プリアンブルとし、１６〜３１を、優先度の高い、ランダムに送信されるプリアンブルとし、２３〜６３を、優先度の低い、ランダムに送信されるプリアンブルとしてもよい。以下では、１６〜３１のような、優先度の高い、ランダムに送信されるプリアンブルのIDの範囲を、優先度の高い、ランダムに送信されるプリアンブルの領域と呼び、３２〜６３のような、優先度の低い、ランダムに送信されるプリアンブルのIDの範囲を、優先度の低い、ランダムに送信されるプリアンブルの領域と呼ぶ。【００５２】
この場合、優先度の高い移動局、あるいは、優先度の高いランダムアクセスプロシージャーを行う移動局により、優先度の高いプリアンブルが送信され、優先度の低い移動局、あるいは、優先度の低いランダムアクセスプロシージャーを行う移動局により、優先度の低いプリアンブルが送信される、といった制御が可能となる。すなわち、優先度の高い移動局、あるいは、優先度の高いランダムアクセスプロシージャーを行う移動局は、１６〜３１のプリアンブルの中からランダムにプリアンブルを選択して、プリアンブルの送信を行い、優先度の低い移動局、あるいは、優先度の低いランダムアクセスプロシージャーを行う移動局は、３２〜６３のプリアンブルの中からランダムにプリアンブルを選択して、プリアンブルの送信を行う。ここで、ランダムアクセスプロシージャーとは、イニシャルアクセスや、ハンドオーバ、上りリンクのスケジューリング要求、上り同期確立要求、下りリンクの通信再開等の、ランダムアクセスチャネルを用いたプロシージャーのことを指す。【００５３】
このように、ランダムアクセスプリアンブルの領域を、優先度の高いプリアンブルの領域と優先度の低いプリアンブルの領域とに分けることにより、ランダムアクセスの優先度制御が可能となる。【００５４】
尚、上述した例では、優先度の種類は、「高い」と「低い」の２種類であったが、３種類以上であってもよい。【００５５】
また、上述した例では、ランダムアクセスプリアンブルの種類として、優先度が「高い」、「低い」の２種類が存在する場合を示したが、代わりに、当該移動局の無線品質が「高い」、「低い」の2種類が存在してもよい。尚、前記無線品質とは、例えば、下りリンクの無線品質であり、より具体的には、下りリンクのリファレンス信号の受信レベルやＳＩＲ、ＣＱＩ、パスロスである。この場合、例えば、６４個のプリアンブル系列が存在し、０から６３のプリアンブルのIDが存在する場合に、０〜１５を個別プリアンブルとし、１６〜３１を、無線品質の高い、ランダムに送信されるプリアンブルとし、２３〜６３を、無線品質の低い、ランダムに送信されるプリアンブルとしてもよい。すなわち、無線品質の高い移動局、あるいは、無線品質の高いランダムアクセスプロシージャーを行う移動局により、無線品質の高いプリアンブルが送信され、無線品質の低い移動局、あるいは、無線品質の低いランダムアクセスプロシージャーを行う移動局により、無線品質の低いプリアンブルが送信される、といった制御が可能となる。すなわち、無線品質の高い移動局、あるいは、無線品質の高いランダムアクセスプロシージャーを行う移動局は、１６〜３１のプリアンブルの中からランダムにプリアンブルを選択して、プリアンブルの送信を行い、無線品質の低い移動局、あるいは、無線品質の低いランダムアクセスプロシージャーを行う移動局は、３２〜６３のプリアンブルの中からランダムにプリアンブルを選択して、プリアンブルの送信を行う。【００５６】
基地局装置は、その移動局の無線品質に関する情報がない場合、セル端を想定して、ランダムアクセス手順のメッセージ２やメッセージ３の無線リソースを割り当てることになり、リソースを過剰に消費することになる。このように、ランダムアクセスプリアンブルの領域を、無線品質の高いプリアンブルの領域と無線品質の低いプリアンブルの領域とに分けることにより、基地局装置は、当該移動局の無線品質を把握することが可能となり、ランダムアクセス手順のメッセージ２やメッセージ３の無線リソースを効率的に割り当てることが可能となる。【００５７】
尚、上述したような、個別プリアンブルやランダムに送信されるプリアンブル、優先度の高いランダムに送信されるプリアンブル、優先度の低いランダムに送信されるプリアンブルに対する、ランダムアンブルのIDの割り当ては、基地局装置により、移動局に指定される。【００５８】
あるいは、上述したような、個別プリアンブルやランダムに送信されるプリアンブル、無線品質の高いランダムに送信されるプリアンブル、無線品質の低いランダムに送信されるプリアンブルに対する、ランダムアンブルのIDの割り当ては、基地局装置により、移動局に指定される。【００５９】
<基地局装置の構成>
次に、本発明の実施例に係る基地局装置２００について、図７を参照して説明する。【００６０】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。【００６１】
下りリンクにより基地局装置２００から移動局１００ｎに送信されるパケットデータは、基地局装置２００の上位に位置する上位局、例えばアクセスゲートウェイ装置３００から伝送路インターフェース２１２を介してベースバンド信号処理部２０８に入力される。【００６２】
ベースバンド信号処理部２０８では、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ（Ｍｅｄｉｕｍ  Ａｃｃｅｓｓ  Ｃｏｎｔｒｏｌ）再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。【００６３】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００６４】
一方、上りリンクにより移動局１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００６５】
ベースバンド信号処理部２０８では、入力されたベースバンド信号に対して、ＦＦＴ処理、誤り訂正復号、ＭＡＣ再送制御の受信処理、ＲＬＣ  ｌａｙｅｒの受信処理がなされ、伝送路インターフェース２１２を介してアクセスゲートウェイ装置３００に転送される。【００６６】
また、後述するように、ベースバンド信号処理部２０８は、ランダムアクセスチャネルが送信される周波数帯域の受信電力を測定し、また、ランダムアクセスチャネルのプリアンブル系列の受信数（以下、ランダムアクセスチャネルの受信数と呼ぶ）をカウントする。そして、ベースバンド信号処理部２０８は、上記ランダムアクセスチャネルが送信される周波数帯域の受信電力またはランダムアクセスチャネルの受信数に基づいて、ランダムアクセスチャネルが送信される周波数帯域を変更したり、移動局によるランダムアクセスチャネルの送信を規制したりすることを決定する。【００６７】
呼処理部２１０は、通信チャネルの設定や解放等の呼処理や、無線基地局２００の状態管理や、無線リソースの管理を行う。【００６８】
また、呼処理部２１０は、ベースバンド信号処理部２０８内のＲＡＣＨリソース管理部２０８４より、移動局によるランダムアクセスチャネルの送信を規制すると通知された場合には、自基地局装置２００のカバーするセル５０内に在圏する移動局に対して、報知チャネルを用いて、移動局によるランダムアクセスチャネルの送信を規制することを通知する。あるいは、呼処理部２１０は、報知チャネルを用いて、移動局によるランダムアクセスチャネルの送信を規制することを通知している状態において、ベースバンド信号処理部２０８内のＲＡＣＨリソース管理部２０８４より、移動局によるランダムアクセスチャネルの送信を規制しないと通知された場合には、自基地局装置２００のカバーするセル５０内に在圏する移動局に対して、報知チャネルを用いて、移動局によるランダムアクセスチャネルの送信を規制しないことを通知する。【００６９】
尚、上記移動局によるランダムアクセスチャネルの送信の規制は、予め設定された移動局の優先度クラスを考慮して行われてもよい。例えば、優先度の低いクラスの移動局によるランダムアクセスチャネルの送信のみを規制するという決定を行ってもよい。【００７０】
また、呼処理部２１０は、ベースバンド信号処理部２０８内のＲＡＣＨリソース管理部２０８４より、ランダムアクセスチャネルの周波数帯域を変更すると通知された場合には、自基地局装置２００のカバーするセル５０内に在圏する移動局に対して、報知チャネルを用いて、ランダムアクセスチャネルの周波数帯域を変更することを通知する。上記報知チャネルにより通知される、どのようにランダムアクセスチャネルの周波数帯域が変更されるかの情報は、ＲＡＣＨリソース管理部２０８４から通知される情報に基づく。ここで、例えば、上記報知チャネルは、変更後のランダムアクセスチャネルが送信される周波数帯域の数（物理ランダムアクセスチャネルの数）と、その各周波数帯域の周波数番号やリソースブロック番号（各物理ランダムアクセスチャネルの周波数番号やリソースブロック番号）を指定してもよい。【００７１】
すなわち、上記報知チャネルの情報要素には、ランダムアクセスチャネルが送信される周波数帯域の数（物理ランダムアクセスチャネルの数）と、その各周波数帯域の周波数番号やリソースブロック番号（各物理ランダムアクセスチャネルの周波数番号やリソースブロック番号）が含まれる。【００７２】
あるいは、呼処理部２１０は、後述するように、周波数方向の物理ランダムアクセスチャネルの数を変更する代わりに、時間方向の物理ランダムアクセスチャネルの数を変更する場合には、自基地局装置２００のカバーするセル５０内に在圏する移動局に対して、報知チャネルを用いて、物理ランダムアクセスチャネルの時間方向の数を変更することを通知してもよい。より具体的には、Table X2に示すような、送信パターンが定義されている場合には、前記送信パターンの変更を通知してもよい。【００７３】
さらに、呼処理部２１０は、ベースバンド信号処理部２０８内のＲＡＣＨリソース管理部２０８４より、個別プリアンブルの領域とランダムに送信されるプリアンブルの領域を変更すると通知された場合には、自基地局装置２００のカバーするセル５０内に在圏する移動局に対して、報知チャネルを用いて、個別プリアンブルの領域とランダムに送信されるプリアンブルの領域を変更することを通知する。上記報知チャネルにより通知される、個別プリアンブルの領域とランダムに送信されるプリアンブルの領域に関する情報は、ＲＡＣＨリソース管理部２０８４から通知される情報に基づく。ここで、例えば、上記報知チャネルは、個別プリアンブルの領域のIDとランダムに送信されるプリアンブルの領域のIDを指定してもよい。【００７４】
すなわち、上記報知チャネルの情報要素には、個別プリアンブルの領域のIDとランダムに送信されるプリアンブルの領域のIDが含まれる。【００７５】
さらに、呼処理部２１０は、ベースバンド信号処理部２０８内のＲＡＣＨリソース管理部２０８４より、優先度の高い、ランダムに送信されるプリアンブルの領域と、優先度の低い、ランダムに送信されるプリアンブルの領域を変更すると通知された場合には、自基地局装置２００のカバーするセル５０内に在圏する移動局に対して、報知チャネルを用いて、優先度の高い、ランダムに送信されるプリアンブルの領域と、優先度の低い、ランダムに送信されるプリアンブルの領域を変更することを通知する。上記報知チャネルにより通知される、優先度の高い、ランダムに送信されるプリアンブルの領域と優先度の低い、ランダムに送信されるプリアンブルの領域に関する情報は、ＲＡＣＨリソース管理部２０８４から通知される情報に基づく。ここで、例えば、上記報知チャネルは、優先度の高い、ランダムに送信されるプリアンブルの領域のIDと優先度の低い、ランダムに送信されるプリアンブルの領域のIDを指定してもよい。【００７６】
すなわち、上記報知チャネルの情報要素には、優先度の高い、ランダムに送信されるプリアンブルの領域のIDと優先度の低い、ランダムに送信されるプリアンブルの領域のIDが含まれる。【００７７】
尚、上述した例では、ランダムアクセスプリアンブルの領域として、優先度が「高い」、「低い」の２種類を指定する場合を示したが、代わりに、当該移動局の無線品質が「高い」、「低い」の2種類を指定してもよい。【００７８】
尚、上述した報知チャネルは、ＭＡＣ処理部２０８２、レイヤー１処理部２０８１、送受信部２０６、アンプ部２０４、送受信アンテナ２０２を介して移動局に送信される。【００７９】
次に、ベースバンド信号処理部２０８の構成について、図８を参照して説明する。【００８０】
ベースバンド信号処理部２０８は、レイヤー１処理部２０８１と、ＭＡＣ処理部２０８２と、ＲＬＣ処理部２０８３と、ＲＡＣＨリソース管理部２０８４とを備える。ベースバンド信号処理部２０８におけるレイヤー１処理部２０８１とＭＡＣ処理部２０８２と、ＲＬＣ処理部２０８３と、ＲＡＣＨリソース管理部２０８４と呼処理部２１０は、互いに接続されている。【００８１】
レイヤー１処理部２０８１では、下りリングで送信されるデータのチャネル符号化やＩＦＦＴ処理、上りリンクで送信されるデータのチャネル復号化やＦＦＴ処理などが行われる。【００８２】
レイヤー１処理部２０８１では、移動局１００ｎが送信する上りリンクのランダムアクセスチャネルの周波数帯域の受信電力を測定し、上記上りリンクのランダムアクセスチャネルの周波数帯域の受信電力をＲＡＣＨリソース管理部２０８４に通知する。例えば、レイヤー１処理部２０８１は、上記上りリンクのランダムアクセスチャネルの周波数帯域の受信電力として、熱雑音を含む干渉電力と信号電力を合わせた受信電力を測定してもよい。あるいは、レイヤー１処理部２０８１は、上記上りリンクのランダムアクセスチャネルの周波数帯域の受信電力を信号電力以外の受信電力と定義し、熱雑音を含む干渉電力を、上記上りリンクのランダムアクセスチャネルの周波数帯域の受信電力として測定してもよい。【００８３】
また、レイヤー１処理部２０８１では、移動局１００ｎが送信する上りリンクのランダムアクセスチャネルの受信数を測定し、上記ランダムアクセスチャネルの受信数をＲＡＣＨリソース管理部２０８４に通知してもよい。【００８４】
レイヤー１処理部２０８１は、送受信部２０６より入力されたベースバンド信号と、ランダムアクセスチャネルの各プリアンブル系列の相関値を算出し、所定の閾値を超えた（以後、「検出された」と記載する）プリアンブル系列の数を、上記移動局１００ｎが送信する上りリンクのランダムアクセスチャネルの受信数として測定してもよい。【００８５】
ここで、レイヤー１処理部２０８１は、上記移動局１００ｎが送信する上りリンクのランダムアクセスチャネルの受信数として、検出されたランダムアクセスチャネルのプリアンブル系列の数そのものでもよいし、検出され、かつ、RACH response（RACH proceduresにおけるMessage 2）を当該移動局に下りリンクで送信した数、すなわち、Acknowledgeされたプリアンブル系列の数としてもよい。【００８６】
尚、受信したランダムアクセスチャネルの受信数の中に、個別プリアンブル（Dedicated preamble）を含めてもよいし、含めなくてもよい。尚、個別プリアンブル（Dedicated preamble）とは、基地局装置２００が、特定の移動局に対して固定的に割り当てられるプリアンブルのことを指す。【００８７】
あるいは、レイヤー１処理部２０８１は、個別プリアンブルとランダムに送信されるプリアンブルとを分けて、上記受信したランダムアクセスチャネルの受信数を測定してもよい。また、レイヤー１処理部２０８１は、上記ランダムに送信されるプリアンブルを、優先度毎に測定してもよい。すなわち、レイヤー１処理部２０８１は、優先度の高い、ランダムに送信されるプリアンブルの受信数と、優先度の低い、ランダムに送信されるプリアンブルの受信数とに分けて、上記受信したランダムアクセスチャネルの受信数を測定してもよい。あるいは、レイヤー１処理部２０８１は、上記ランダムに送信されるプリアンブルの領域が、無線品質が高い、低いの2種類で定義されている場合に、無線品質毎に測定してもよい。すなわち、レイヤー１処理部２０８１は、無線品質の高い、ランダムに送信されるプリアンブルの受信数と、無線品質の低い、ランダムに送信されるプリアンブルの受信数とに分けて、上記受信したランダムアクセスチャネルの受信数を測定してもよい。【００８８】
さらに、レイヤー１処理部２０８１は、イニシャルアクセスや、ハンドオーバ、上りリンクのスケジューリング要求、上り同期確立要求、下りリンクの通信再開等の、ランダムアクセスチャネルが使用される目的毎に、上記受信したランダムアクセスチャネルの受信数を測定してもよい。【００８９】
ＭＡＣ処理部２０８２は、下りデータのＭＡＣ再送制御、例えばＨＡＲＱの送信処理や、スケジューリング、伝送フォーマットの選択等を行う。また、ＭＡＣ処理部２０８２は、上りデータのＭＡＣ再送制御の受信処理等を行う。【００９０】
ＲＬＣ処理部２０８３では、下りリンクのパケットデータに関する、分割・結合、ＲＬＣ再送制御の送信処理等のＲＬＣ  ｌａｙｅｒの送信処理や、上りリンクのデータに関する、分割・結合、ＲＬＣ再送制御の受信処理等のＲＬＣ  ｌａｙｅｒの受信処理が行われる。【００９１】
ＲＡＣＨリソース管理部２０８４は、レイヤー１処理部２０８１より、上りリンクのランダムアクセスチャネルの周波数帯域の受信電力と、ランダムアクセスチャネルの受信数とを受け取る。【００９２】
そして、ＲＡＣＨリソース管理部２０８４は、上記上りリンクのランダムアクセスチャネルの周波数帯域の受信電力と上記ランダムアクセスチャネルの受信数の少なくとも１つに基づいて、移動局によるランダムアクセスチャネルの送信を規制するか否かを判断する。ＲＡＣＨリソース管理部２０８４は、移動局によるランダムアクセスチャネルの送信を規制すると判断した場合には、呼処理部２１０に、移動局によるランダムアクセスチャネルの送信を規制すると通知する。あるいは、呼処理部２１０が、報知チャネルを用いて、移動局によるランダムアクセスチャネルの送信を規制することを通知している状態において、移動局によるランダムアクセスチャネルの送信を規制しないと判断した場合には、呼処理部２１０に、移動局によるランダムアクセスチャネルの送信を規制しないと通知する。【００９３】
ＲＡＣＨリソース管理部２０８４の、上記上りリンクのランダムアクセスチャネルの周波数帯域の受信電力と上記ランダムアクセスチャネルの受信数の少なくとも１つに基づいて、移動局によるランダムアクセスチャネルの送信を規制するか否かを判断する動作をさらに詳しく説明する。【００９４】
例えば、ＲＡＣＨリソース管理部２０８４は、ランダムアクセスチャネルの周波数帯域の受信電力が所定の閾値よりも大きいと判定された場合に、ランダムアクセスチャネルを規制することを決定してもよい。【００９５】
また、例えば、ＲＡＣＨリソース管理部２０８４は、ランダムアクセスチャネルの受信数が所定の閾値よりも大きいと判定された場合に、移動局によるランダムアクセスチャネルの送信を規制することを決定してもよい。【００９６】
あるいは、ＲＡＣＨリソース管理部２０８４は、ランダムアクセスチャネルの周波数帯域の受信電力が所定の閾値よりも大きいと判定され、かつ、ランダムアクセスチャネルの受信数が所定の閾値よりも大きいと判定された場合に、移動局によるランダムアクセスチャネルの送信を規制することを決定してもよい。【００９７】
あるいは、ＲＡＣＨリソース管理部２０８４は、呼処理部２１０が、報知チャネルを用いて、移動局によるランダムアクセスチャネルの送信を規制することを通知している状態において、ランダムアクセスチャネルの周波数帯域の受信電力が所定の閾値よりも小さいと判定されるか、または、ランダムアクセスチャネルの受信数が所定の閾値よりも小さいと判定された場合に、移動局によるランダムアクセスチャネルの送信を規制しないことを決定してもよい。ここで、ＲＡＣＨリソース管理部２０８４は、ランダムアクセスチャネルの周波数帯域の受信電力と、ランダムアクセスチャネルの受信数の両方に基づいて、上記決定を行ったが、どちらか一方を用いて決定してもよい。【００９８】
また、ＲＡＣＨリソース管理部２０８４は、上記上りリンクのランダムアクセスチャネルの周波数帯域の受信電力と上記ランダムアクセスチャネルの受信数の少なくとも１つに基づいて、ランダムアクセスチャネルの周波数帯域をどのように変更するか否かを判断する。ＲＡＣＨリソース管理部２０８４は、移動局によるランダムアクセスチャネルの周波数帯域を変更すると判断した場合には、呼処理部２１０に、ランダムアクセスチャネルの周波数帯域を変更すると通知し、また、ランダムアクセスチャネルの周波数帯域をどのように変更するかの情報も合わせて通知する。ここで、ランダムアクセスチャネルの周波数帯域をどのように変更するかの情報とは、例えば、変更後の、ランダムアクセスチャネルの周波数帯域の数（物理ランダムアクセスチャネルの数）や、その各周波数帯域の周波数番号やリソースブロック番号（各物理ランダムアクセスチャネルの周波数番号やリソースブロック番号）であってもよい。【００９９】
ＲＡＣＨリソース管理部２０８４の、上記上りリンクのランダムアクセスチャネルの周波数帯域の受信電力と上記ランダムアクセスチャネルの受信数の少なくとも１つに基づいて、ランダムアクセスチャネルの周波数帯域をどのように変更するか否かを判断する動作をさらに詳しく説明する。【０１００】
例えば、ＲＡＣＨリソース管理部２０８４は、ランダムアクセスチャネルの周波数帯域の受信電力が所定の閾値よりも大きいと判定された場合に、ランダムアクセスチャネルの周波数帯域を広げることを決定してもよい。【０１０１】
また、例えば、ＲＡＣＨリソース管理部２０８４において、ランダムアクセスチャネルの受信数が所定の閾値よりも大きいと判定された場合に、ランダムアクセスチャネルの周波数帯域を広げることを決定してもよい。【０１０２】
また、例えば、ＲＡＣＨリソース管理部２０８４は、ランダムアクセスチャネルの周波数帯域の受信電力が所定の閾値よりも小さいと判定された場合に、ランダムアクセスチャネルの周波数帯域を狭めることを決定してもよい。【０１０３】
また、例えば、ＲＡＣＨリソース管理部２０８４において、ランダムアクセスチャネルの受信数が所定の閾値よりも小さいと判定された場合に、ランダムアクセスチャネルの帯域を狭めることを決定してもよい。【０１０４】
ここで、ランダムアクセスチャネルの周波数帯域を広げるとは、例えば、物理ランダムアクセスチャネルの数を増やすことに相当する。例えば、１個の物理ランダムアクセスチャネル（６個のリソースブロック）が設定されている状態から、２個の物理ランダムアクセスチャネル（合計で１２個のリソースブロック）が設定されている状態に変更するといったことが考えられる。また、ランダムアクセスチャネルの周波数帯域を狭めるとは、例えば、物理ランダムアクセスチャネルの数を減らすことに相当する。例えば、２個の物理ランダムアクセスチャネル（１２個のリソースブロック）が設定されている状態から、１個の物理ランダムアクセスチャネル（合計で６個のリソースブロック）が設定されている状態に変更するといったことが考えられる。【０１０５】
また、上述した例においては、周波数方向に物理ランダムアクセスチャネルの数を増やしたり減らしたりすると決定したが、代わりに、時間方向に物理ランダムアクセスチャネルの数を増やしたり減らしたりすると決定してもよい。【０１０６】
例えば、ＲＡＣＨリソース管理部２０８４は、ランダムアクセスチャネルの周波数帯域の受信電力が所定の閾値よりも大きいと判定された場合、または、ＲＡＣＨリソース管理部２０８４において、ランダムアクセスチャネルの受信数が所定の閾値よりも大きいと判定された場合に、時間方向に物理ランダムアクセスチャネルの数を増やすと決定してもよい。例えば、１０ｍｓに１回の割合で割り当てられていたランダムアクセスチャネルの送信タイミングを、１０ｍｓに２回の割り当てに変更すると決定してもよい。【０１０７】
さらに、例えば、ＲＡＣＨリソース管理部２０８４は、ランダムアクセスチャネルの周波数帯域の受信電力が所定の閾値よりも小さいと判定された場合、または、ＲＡＣＨリソース管理部２０８４において、ランダムアクセスチャネルの受信数が所定の閾値よりも小さいと判定された場合に、時間方向にランダムアクセスチャネルの数を減らすと決定してもよい。例えば、１０ｍｓに２回の割合で割り当てられていたランダムアクセスチャネルの送信タイミングを、１０ｍｓに１回の割り当てに変更すると決定してもよい。【０１０８】
あるいは、予め、複数のランダムアクセスチャネルの送信パターンが定義されている場合に、ＲＡＣＨリソース管理部２０８４は、上記上りリンクのランダムアクセスチャネルの周波数帯域の受信電力と上記ランダムアクセスチャネルの受信数の少なくとも１つに基づいて、その送信パターンを選択してもよい。例えば、ランダムアクセスチャネルの周波数帯域の受信電力が所定の閾値よりも小さいと判定された場合、または、ＲＡＣＨリソース管理部２０８４において、ランダムアクセスチャネルの受信数が所定の閾値よりも小さいと判定された場合に、ランダムアクセスチャネルの送信機会が減少するように、送信パターンを選択してもよい。あるいは、例えば、ランダムアクセスチャネルの周波数帯域の受信電力が所定の閾値よりも大きいと判定された場合、または、ＲＡＣＨリソース管理部２０８４において、ランダムアクセスチャネルの受信数が所定の閾値よりも大きいと判定された場合に、ランダムアクセスチャネルの送信機会が増加するように、送信パターンを選択してもよい。尚、前記送信パターンとしては、例えば、Table X2に示すパターンがある。【０１０９】
尚、上述したように、ランダムアクセスチャネルの受信数やランダムアクセスチャネルの周波数帯域の受信電力に基づいて、周波数方向の物理ランダムアクセスチャネルの数を増やしたり減らしたり、あるいは、時間方向の物理ランダムアクセスチャネルの数を増やしたり減らしたり、しているが、この周波数方向の物理ランダムアクセスチャネルの数や時間方向の物理ランダムアクセスチャネルの数とは、一般には、ランダムアクセスチャネルの無線リソースに相当する。【０１１０】
また、ＲＡＣＨリソース管理部２０８４は、セル内の待ち受けユーザ数や、通信中のユーザ数、Ｄｉｓｃｏｎｔｉｎｕｏｕｓ  Ｒｅｃｅｐｔｉｏｎ（ＤＲＸ）状態のユーザ数、自基地局装置のＣｅｎｔｅｒ  Ｐｒｏｃｅｓｓｉｎｇ  Ｕｎｉｔ（ＣＰＵ）の使用率、メモリ使用率、コアノードのＣＰＵ使用率を取得し、上記セル内の待ち受けユーザ数や、通信中のユーザ数、ＤＲＸ状態のユーザ数、自基地局装置のＣＰＵの使用率、メモリ使用率、コアノードのＣＰＵ使用率に基づいて、移動局によるランダムアクセスチャネルの送信を規制するか否かの判定を行ってもよい。【０１１１】
例えば、ＲＡＣＨリソース管理部２０８４は、セル内の待ち受けユーザ数が所定の閾値よりも大きい場合、または、通信中のユーザ数が所定の閾値よりも大きい場合、または、ＤＲＸ状態のユーザ数が所定の閾値よりも大きい場合、または、自基地局装置のＣＰＵの使用率が所定の閾値よりも大きい場合、メモリ使用率が所定の閾値よりも大きい場合、コアノードのＣＰＵ使用率が所定の閾値よりも大きい場合に、移動局によるランダムアクセスチャネルの送信を規制すると判定してもよい。【０１１２】
また、ＲＡＣＨリソース管理部２０８４は、セル内の待ち受けユーザ数と、通信中のユーザ数と、ＤＲＸ状態のユーザ数と、自基地局装置のＣＰＵの使用率と、メモリ使用率と、コアノードのＣＰＵ使用率と、ランダムアクセスチャネルの周波数帯域の受信電力と、ランダムアクセスチャネルの受信数とに基づいて、移動局によるランダムアクセスチャネルの送信を規制するか否かの判定を行ってもよい。【０１１３】
また、ＲＡＣＨリソース管理部２０８４は、セル内の待ち受けユーザ数や、通信中のユーザ数、ＤＲＸ状態のユーザ数、自基地局装置のＣＰＵの使用率、メモリ使用率、コアノードのＣＰＵ使用率を取得し、上記セル内の待ち受けユーザ数や、通信中のユーザ数、ＤＲＸ状態のユーザ数、自基地局装置のＣＰＵの使用率、メモリ使用率、コアノードのＣＰＵ使用率に基づいて、ランダムアクセスチャネルの周波数帯域を変更するか否かの判定を行ってもよい。【０１１４】
例えば、ＲＡＣＨリソース管理部２０８４は、セル内の待ち受けユーザ数が所定の閾値よりも大きい場合、または、通信中のユーザ数が所定の閾値よりも大きい場合、または、ＤＲＸ状態のユーザ数が所定の閾値よりも大きい場合に、ランダムアクセスチャネルの周波数帯域を大きくすると判定してもよい。【０１１５】
あるいは、ＲＡＣＨリソース管理部２０８４は、セル内の待ち受けユーザ数が所定の閾値よりも小さい場合、または、通信中のユーザ数が所定の閾値よりも小さい場合、または、ＤＲＸ状態のユーザ数が所定の閾値よりも小さい場合、または、自基地局装置のＣＰＵの使用率が所定の閾値よりも大きい場合、メモリ使用率が所定の閾値よりも大きい場合、コアノードのＣＰＵ使用率が所定の閾値よりも大きい場合に、ランダムアクセスチャネルの周波数帯域を小さくすると判定してもよい。【０１１６】
また、ＲＡＣＨリソース管理部２０８４は、セル内の待ち受けユーザ数と、通信中のユーザ数と、ＤＲＸ状態のユーザ数と、自基地局装置のＣＰＵの使用率と、メモリ使用率と、コアノードのＣＰＵ使用率と、ランダムアクセスチャネルの周波数帯域の受信電力と、ランダムアクセスチャネルの受信数とに基づいて、ランダムアクセスチャネルの周波数帯域を変更するか否かの判定を行ってもよい。【０１１７】
また、ＲＡＣＨリソース管理部２０８４は、時間帯に応じて、上述した、移動局によるランダムアクセスチャネルの送信規制や、ランダムアクセスチャネルの周波数帯域の変更を行う機能を具備してもよい。あるいは、ＲＡＣＨリソース管理部２０８４は、手動で、上述した、移動局によるランダムアクセスチャネルの送信規制や、ランダムアクセスチャネルの周波数帯域の変更を行う機能を具備してもよい。ここで、手動とは、無線通信システム１０００を提供する事業者が、上述したランダムアクセスチャネルの周波数帯域の受信電力と、ランダムアクセスチャネルの受信数の統計値を監視し、無線通信システム１０００のランダムアクセス手順に関連するパラメータを変更すること意味する。【０１１８】
ＲＡＣＨリソース管理部２０８４は、上述した、ランダムアクセスチャネルの受信数に基づいた、移動局によるランダムアクセスチャネルの送信を規制するか否かの判断や、ランダムアクセスチャネルの周波数帯域を変更するか否かの判断を、個別プリアンブルの受信数に基づいて行ってもよいし、ランダムに送信されるプリアンブルの受信数に基づいて行ってもよい。あるいは、ＲＡＣＨリソース管理部２０８４は、上述した判断を、優先度の高い、ランダムに送信されるプリアンブルの受信数に基づいて行ってもよいし、優先度の低い、ランダムに送信されるプリアンブルの受信数に基づいて行ってもよい。あるいは、ＲＡＣＨリソース管理部２０８４は、上述した判断を、無線品質の高い、ランダムに送信されるプリアンブルの受信数に基づいて行ってもよいし、無線品質の低い、ランダムに送信されるプリアンブルの受信数に基づいて行ってもよい。【０１１９】
このように、個別プリアンブルやランダムに送信されるプリアンブル毎、あるいは、プリアンブルの優先度毎に、あるいは、移動局の無線品質毎に、上述した、移動局によるランダムアクセスチャネルの送信を規制するか否かの判断や、ランダムアクセスチャネルの周波数帯域を変更するか否かの判断を行うことにより、優先度やランダムアクセスチャネルの種類、移動局の無線品質に基づいた、より決め細やかな制御を行うことが可能となる。【０１２０】
あるいは、ＲＡＣＨリソース管理部２０８４は、上述した、ランダムアクセスチャネルの受信数に基づいた、移動局によるランダムアクセスチャネルの送信を規制するか否かの判断や、ランダムアクセスチャネルの周波数帯域を変更するか否かの判断を、イニシャルアクセスや、ハンドオーバ、上りリンクのスケジューリング要求、上り同期確立要求、下りリンクの通信再開等の、ランダムアクセスチャネルが使用される目的毎に、行ってもよい。【０１２１】
このように、ランダムアクセスチャネルが使用される目的毎に、上述した、移動局によるランダムアクセスチャネルの送信を規制するか否かの判断や、ランダムアクセスチャネルの周波数帯域を変更するか否かの判断を行うことにより、ランダムアクセスチャネルの使用目的に基づいた、より決め細やかな制御を行うことが可能となる。【０１２２】
さらに、RACHリソース管理部２０８４は、個別プリアンブルの受信数に基づいて、個別プリアンブルの領域とランダムに送信されるプリアンブルの領域を変更するか否かの判断を行ってもよい。【０１２３】
例えば、ＲＡＣＨリソース管理部２０８４は、個別プリアンブルの受信数が所定の閾値よりも大きいと判定された場合に、個別プリアンブルの領域を大きくし、同時に、その分だけ、ランダムに送信されるプリアンブルの領域を小さくすると判断してもよい。あるいは、ＲＡＣＨリソース管理部２０８４は、個別プリアンブルの受信数が所定の閾値よりも小さいと判定された場合に、個別プリアンブルの領域を小さくし、同時に、その分だけ、ランダムに送信されるプリアンブルの領域を大きくすると判断してもよい。【０１２４】
例えば、ＲＡＣＨリソース管理部２０８４は、ランダムに送信されるプリアンブルの受信数が所定の閾値よりも大きいと判定された場合に、ランダムに送信されるプリアンブルの領域を大きくし、同時に、その分だけ、個別プリアンブルの領域を小さくすると判断してもよい。あるいは、ＲＡＣＨリソース管理部２０８４は、ランダムに送信されるプリアンブルの受信数が所定の閾値よりも小さいと判定された場合に、ランダムに送信されるプリアンブルの領域を小さくし、同時に、その分だけ、個別プリアンブルの領域を大きくすると判断してもよい。【０１２５】
尚、上記「個別プリアンブルの領域を大きくする」とは、例えば、０〜６３のプリアンブルの内、個別プリアンブルに０〜１５、ランダムに送信されるプリアンブルに１６〜６３が割り当てられている場合に、個別プリアンブルに０〜３１、ランダムに送信されるプリアンブルに３２〜６３が割り当てられている状態に変更することを意味する。尚、上記０〜１５や１６〜６３といった数字はあくまで一例であり、上記以外の数字であってもよい。【０１２６】
そして、ＲＡＣＨリソース管理部２０８４は、上述したような、個別プリアンブルの領域とランダムに送信されるプリアンブルの領域を変更すると判断した場合には、呼処理部２１０に、個別プリアンブルの領域とランダムに送信されるプリアンブルの領域を変更することを通知する。【０１２７】
あるいは、RACHリソース管理部２０８４は、優先度の高い、ランダムに送信されるプリアンブルの受信数に基づいて、優先度の高い、ランダムに送信されるプリアンブルの領域と、優先度の低い、ランダムに送信されるプリアンブルの領域を変更するか否かの判断を行ってもよい。【０１２８】
例えば、ＲＡＣＨリソース管理部２０８４は、優先度の高い、ランダムに送信されるプリアンブルの受信数が所定の閾値よりも大きいと判定された場合に、優先度の高い、ランダムに送信されるプリアンブルの領域を大きくし、同時に、その分だけ、優先度の低い、ランダムに送信されるプリアンブルの領域を小さくすると判断してもよい。あるいは、ＲＡＣＨリソース管理部２０８４は、優先度の高い、ランダムに送信されるプリアンブルの受信数が所定の閾値よりも小さいと判定された場合に、優先度の高い、ランダムに送信されるプリアンブルの領域を小さくし、同時に、その分だけ、優先度の低い、ランダムに送信されるプリアンブルの領域を大きくすると判断してもよい。【０１２９】
例えば、ＲＡＣＨリソース管理部２０８４は、優先度の低い、ランダムに送信されるプリアンブルの受信数が所定の閾値よりも大きいと判定された場合に、優先度の低い、ランダムに送信されるプリアンブルの領域を大きくし、同時に、その分だけ、優先度の高い、ランダムに送信されるプリアンブルの領域を小さくすると判断してもよい。あるいは、ＲＡＣＨリソース管理部２０８４は、優先度の低い、ランダムに送信されるプリアンブルの受信数が所定の閾値よりも小さいと判定された場合に、優先度の低い、ランダムに送信されるプリアンブルの領域を小さくし、同時に、その分だけ、優先度の高い、ランダムに送信されるプリアンブルの領域を大きくすると判断してもよい。【０１３０】
尚、上記「優先度の高い、ランダムに送信されるプリアンブルの領域を大きくする」とは、例えば、０〜６３のプリアンブルの内、優先度の高い、ランダムに送信されるプリアンブルに０〜１５、優先度の低い、ランダムに送信されるプリアンブルに１６〜６３が割り当てられている場合に、優先度の高い、ランダムに送信されるプリアンブルに０〜３１、優先度の低い、ランダムに送信されるプリアンブルに３２〜６３が割り当てられている状態に変更することを意味する。尚、上記０〜１５や１６〜６３といった数字はあくまで一例であり、上記以外の数字であってもよい。【０１３１】
そして、ＲＡＣＨリソース管理部２０８４は、上述したような、個別プリアンブルの領域とランダムに送信されるプリアンブルの領域を変更する、あるいは、優先度の高い、ランダムに送信されるプリアンブルの領域と、優先度の低い、ランダムに送信されるプリアンブルの領域を変更すると判断した場合には、呼処理部２１０に、その判断した内容を通知する。【０１３２】
そして、ＲＡＣＨリソース管理部２０８４は、上述したような、優先度の高い、ランダムに送信されるプリアンブルの領域と、優先度の低い、ランダムに送信されるプリアンブルの領域を変更すると判断した場合には、呼処理部２１０に、優先度の高い、ランダムに送信されるプリアンブルの領域と、優先度の低い、ランダムに送信されるプリアンブルの領域を変更することを通知する。【０１３３】
あるいは、RACHリソース管理部２０８４は、無線品質の高い、ランダムに送信されるプリアンブルの受信数に基づいて、無線品質の高い、ランダムに送信されるプリアンブルの領域と、無線品質の低い、ランダムに送信されるプリアンブルの領域を変更するか否かの判断を行ってもよい。【０１３４】
例えば、ＲＡＣＨリソース管理部２０８４は、無線品質の高い、ランダムに送信されるプリアンブルの受信数が所定の閾値よりも大きいと判定された場合に、無線品質の高い、ランダムに送信されるプリアンブルの領域を大きくし、同時に、その分だけ、無線品質の低い、ランダムに送信されるプリアンブルの領域を小さくすると判断してもよい。あるいは、ＲＡＣＨリソース管理部２０８４は、無線品質の高い、ランダムに送信されるプリアンブルの受信数が所定の閾値よりも小さいと判定された場合に、無線品質の高い、ランダムに送信されるプリアンブルの領域を小さくし、同時に、その分だけ、無線品質の低い、ランダムに送信されるプリアンブルの領域を大きくすると判断してもよい。【０１３５】
例えば、ＲＡＣＨリソース管理部２０８４は、無線品質の低い、ランダムに送信されるプリアンブルの受信数が所定の閾値よりも大きいと判定された場合に、無線品質の低い、ランダムに送信されるプリアンブルの領域を大きくし、同時に、その分だけ、無線品質の高い、ランダムに送信されるプリアンブルの領域を小さくすると判断してもよい。あるいは、ＲＡＣＨリソース管理部２０８４は、無線品質の低い、ランダムに送信されるプリアンブルの受信数が所定の閾値よりも小さいと判定された場合に、無線品質の低い、ランダムに送信されるプリアンブルの領域を小さくし、同時に、その分だけ、無線品質の高い、ランダムに送信されるプリアンブルの領域を大きくすると判断してもよい。【０１３６】
尚、上記「無線品質の高い、ランダムに送信されるプリアンブルの領域を大きくする」とは、例えば、０〜６３のプリアンブルの内、無線品質の高い、ランダムに送信されるプリアンブルに０〜１５、無線品質の低い、ランダムに送信されるプリアンブルに１６〜６３が割り当てられている場合に、無線品質の高い、ランダムに送信されるプリアンブルに０〜３１、無線品質の低い、ランダムに送信されるプリアンブルに３２〜６３が割り当てられている状態に変更することを意味する。尚、上記０〜１５や１６〜６３といった数字はあくまで一例であり、上記以外の数字であってもよい。【０１３７】
そして、ＲＡＣＨリソース管理部２０８４は、上述したような、個別プリアンブルの領域とランダムに送信されるプリアンブルの領域を変更する、あるいは、無線品質の高い、ランダムに送信されるプリアンブルの領域と、無線品質の低い、ランダムに送信されるプリアンブルの領域を変更すると判断した場合には、呼処理部２１０に、その判断した内容を通知する。【０１３８】
そして、ＲＡＣＨリソース管理部２０８４は、上述したような、無線品質の高い、ランダムに送信されるプリアンブルの領域と、無線品質の低い、ランダムに送信されるプリアンブルの領域を変更すると判断した場合には、呼処理部２１０に、無線品質の高い、ランダムに送信されるプリアンブルの領域と、無線品質の低い、ランダムに送信されるプリアンブルの領域を変更することを通知する。【０１３９】
<移動局の構成>
次に、本発明の実施例に係る移動局１００ｎについて、図９を参照して説明する。【０１４０】
同図において、移動局１００ｎは、送受信アンテナ１０２と、アンプ部１０４と、送受信部１０６と、ベースバンド信号処理部１０８と、呼処理部１１０と、アプリケーション部１１２とを具備する。【０１４１】
下りリンクのデータについては、送受信アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号、再送制御の受信処理等がなされた後、アプリケーション部１１２に転送される。【０１４２】
一方、上りリンクのパケットデータについては、アプリケーション部１１２からベースバンド信号処理部１０８に入力される。ベースバンド信号処理部１０８では、再送制御（Ｈ−ＡＲＱ  （Ｈｙｂｒｉｄ  ＡＲＱ））の送信処理や、伝送フォーマット選択、チャネル符号化、ＩＦＦＴ処理等が行われて送受信部１０６に転送される。送受信部１０６では、ベースバンド信号処理部１０８から出力されたベースバンド信号を無線周波数帯に変換する周波数変換処理が施され、その後、アンプ部１０４で増幅されて送受信アンテナ１０２より送信される。【０１４３】
また、ベースバンド信号処理部１０８は、下りリンクの無線品質を測定してもよい。より具体的には、下りリンクのリファレンス信号の受信レベルやＳＩＲ、ＣＱＩ、パスロスを測定してもよい。尚、前記パスロスは、下りリンクのリファレンス信号の基地局における送信電力と、下りリンクのリファレンス信号の受信レベルとにより算出される。【０１４４】
また、移動局１００ｎは、初期アクセスや上り同期確立要求、ハンドオーバ、スケジューリング要求等を行う場合に、上りリンクにおいてランダムアクセスチャネルを送信する。ここで、例えば、アプリケーション部１１２が、上記初期アクセスや上り同期確立要求、ハンドオーバ、スケジューリング要求等を行うと決定し、上記決定に基づき、ベースバンド信号処理部１０８が、ランダムアクセスチャネルの送信処理を行ってもよい。ここで、ランダムアクセスチャネルの送信処理とは、ランダムアクセスチャネルのプリアンブル系列の選択やその系列の作成処理、上記ランダムアクセスチャネルにマッピングされる品質情報の測定等である。ベースバンド信号処理部１０８で送信処理が行われたランダムアクセスチャネルは、送受信部１０６、アンプ部１０４、送受信アンテナ１０２を介して、基地局２００に送信される。【０１４５】
尚、ランダムアクセスプリアンブルの種類として、当該移動局の無線品質が「高い」、「低い」の2種類が定義されている場合には、移動局１００ｎは、ベースバンド信号処理部１０８で測定した無線品質に基づいて、無線品質が高い、ランダムに送信されるプリアンブルを送信するか、無線品質が低い、ランダムに送信されるプリアンブルを送信するか、を選択した後に、上述したランダムアクセスチャネルの送信を行う。【０１４６】
また、ベースバンド信号処理部１０８において、下りリンクのデータに含まれる報知情報の受信処理を行う。【０１４７】
例えば、ベースバンド信号処理部１０８は、前記報知情報が、移動局によるランダムアクセスチャネルの送信を規制するという情報を含む場合に、ランダムアクセスチャネルの送信を停止してもよい。この場合、移動局１００ｎは、初期アクセスや上り同期確立要求、ハンドオーバ、スケジューリング要求等を行うと決定した場合でも、ランダムアクセスチャネルの送信を行わない。【０１４８】
また例えば、ベースバンド信号処理部１０８は、前記報知情報が、移動局によるランダムアクセスチャネルの送信を規制しないという情報が含む場合には、ランダムアクセスチャネルの送信を停止しない。すなわち、通常のランダムアクセスチャネルの送信を行う。【０１４９】
また、上述した移動局によるランダムアクセスチャネルの送信の規制は、予め設定された移動局の優先度クラスを考慮して行われてもよい。例えば、前記報知情報が、優先度の低いクラスの移動局によるランダムアクセスチャネルの送信のみを規制するという情報を含み、かつ、移動局１００ｎが優先度の低い移動局である場合に、ベースバンド信号処理部１０８は、ランダムアクセスチャネルの送信を停止してもよい。あるいは、前記報知情報が、優先度の低いクラスの移動局によるランダムアクセスチャネルの送信のみを規制するという情報を含み、かつ、移動局１００ｎが優先度の高い移動局である場合に、ベースバンド信号処理部１０８は、ランダムアクセスチャネルの送信を停止しない。【０１５０】
また、ベースバンド信号処理部１０８は、前記報知情報が、ランダムアクセスチャネルの周波数帯域を変更するという情報を含む場合には、変更後のランダムアクセスチャネルが送信される周波数帯域において、ランダムアクセスチャネルの送信を行う。【０１５１】
例えば、ベースバンド信号処理部１０８は、前記報知情報に、ランダムアクセスチャネルが送信される周波数帯域の数（物理ランダムアクセスチャネルの数）と、その各周波数帯域の周波数番号やリソースブロック番号（各物理ランダムアクセスチャネルの周波数番号やリソースブロック番号）が含まれている場合に、その周波数番号やリソースブロック番号で指定される周波数帯域において、ランダムアクセスチャネルの送信を行う。【０１５２】
さらに、ベースバンド信号処理部１０８は、前記報知情報が、個別プリアンブルの領域とランダムに送信されるプリアンブルの領域を変更するという情報を含む場合には、変更後の個別プリアンブルの領域とランダムに送信されるプリアンブルの領域に基づいて、個別プリアンブルの送信や、ランダムに送信されるプリアンブルの送信を行う。【０１５３】
あるいは、ベースバンド信号処理部１０８は、前記報知情報が、優先度の高い、ランダムに送信されるプリアンブルの領域と、優先度の低い、ランダムに送信されるプリアンブルの領域を変更するという情報を含む場合には、変更後の優先度の高い、ランダムに送信されるプリアンブルの領域と、優先度の低い、ランダムに送信されるプリアンブルの領域に基づいて、優先度の高い、ランダムに送信されるプリアンブルの送信や、優先度の低い、ランダムに送信されるプリアンブルの送信を行う。【０１５４】
あるいは、ベースバンド信号処理部１０８は、前記報知情報が、無線品質の高い、ランダムに送信されるプリアンブルの領域と、無線品質の低い、ランダムに送信されるプリアンブルの領域を変更するという情報を含む場合には、変更後の無線品質の高い、ランダムに送信されるプリアンブルの領域と、無線品質の低い、ランダムに送信されるプリアンブルの領域に基づいて、無線品質の高い、ランダムに送信されるプリアンブルの送信や、無線品質の低い、ランダムに送信されるプリアンブルの送信を行う。【０１５５】
呼処理部１１０は、基地局２００との通信の管理等を行い、アプリケーション部１１２は、物理レイヤーやＭＡＣレイヤーより上位のレイヤーに関する処理等を行う。【０１５６】
<基地局装置における通信制御方法>
次に、本実施例に係る基地局装置２００における通信制御方法について、図１０を参照して説明する。【０１５７】
基地局装置２００は、自基地局装置２００がカバーするセル内において通信中の移動局１００ｎの上りリンクのランダムアクセスチャネルの周波数帯域の受信電力、または、上りリンクのランダムアクセスチャネルの受信数を測定する（ステップＳ９０２）。【０１５８】
基地局装置２００は、測定した上りリンクのランダムアクセスチャネルの周波数帯域の受信電力が所定の第１の閾値以上であるか否か、または、測定した上りリンクのランダムアクセスチャネルの受信数が所定の第２の閾値以上であるか否かを判定する（ステップＳ９０４）。【０１５９】
測定した上りリンクのランダムアクセスチャネルの周波数帯域の受信電力が所定の第１の閾値以上である場合、または、測定した上りリンクのランダムアクセスチャネルの受信数が所定の第２の閾値以上である場合には（ステップＳ９０４：ＹＥＳ）、自基地局装置２００のカバーするセル内に在圏する各移動局に対して、ランダムアクセスチャネルの送信を規制することを報知情報により通知する（ステップＳ９０６）。このとき、ランダムアクセスチャネルの送信を規制することを通知された移動局は、ランダムアクセスチャネルの送信を停止する。【０１６０】
また、測定した上りリンクのランダムアクセスチャネルの周波数帯域の受信電力が所定の第１の閾値より小さい場合で、かつ、測定した上りリンクのランダムアクセスチャネルの受信数が所定の第２の閾値より小さい場合には、処理を終了する（ステップＳ９０４：ＮＯ）。この場合、結果として、移動局によるランダムアクセスチャネルの送信は規制されないことになる。【０１６１】
尚、ステップＳ９０４において、測定した上りリンクのランダムアクセスチャネルの周波数帯域の受信電力が所定の第１の閾値以上であるか否か、または、測定した上りリンクのランダムアクセスチャネルの受信数が所定の第２の閾値以上であるか否か、を判定しているが、代わりに、測定した上りリンクのランダムアクセスチャネルの周波数帯域の受信電力が所定の第１の閾値以上であるか否か、かつ、測定した上りリンクのランダムアクセスチャネルの受信数が所定の第２の閾値以上であるか否か、を判定してもよい。【０１６２】
次に、本実施例に係る基地局装置２００における通信制御方法について、図１１を参照して説明する。【０１６３】
基地局装置２００は、自基地局装置２００がカバーするセル内において通信中の移動局１００ｎの上りリンクのランダムアクセスチャネルの周波数帯域の受信電力、または、上りリンクのランダムアクセスチャネルの受信数を測定する（ステップＳ１００２）。【０１６４】
基地局装置２００は、測定した上りリンクのランダムアクセスチャネルの周波数帯域の受信電力が所定の第１の閾値以上であるか否か、または、測定した上りリンクのランダムアクセスチャネルの受信数が所定の第２の閾値以上であるか否かを判定する（ステップＳ１００４）。【０１６５】
測定した上りリンクのランダムアクセスチャネルの周波数帯域の受信電力が所定の第１の閾値以上である場合、または、測定した上りリンクのランダムアクセスチャネルの受信数が所定の第２の閾値以上である場合には（ステップＳ１００４：ＹＥＳ）、自基地局装置２００のカバーするセル内に在圏する各移動局に対して、ランダムアクセスチャネルの周波数帯域幅を広げることを通知する（ステップＳ１０１０）。このとき、ランダムアクセスチャネルの周波数帯域幅を広げることを通知された移動局は、その広げられたランダムアクセスチャネルの周波数帯域において、ランダムアクセスチャネルの送信を行う。【０１６６】
また、測定した上りリンクのランダムアクセスチャネルの周波数帯域の受信電力が所定の第１の閾値より小さい場合、かつ、測定した上りリンクのランダムアクセスチャネルの受信数が所定の第２の閾値より小さい場合には（ステップＳ１００４：ＮＯ）、ステップＳ１００６に進む。【０１６７】
ステップＳ１００６において、測定した上りリンクのランダムアクセスチャネルの周波数帯域の受信電力が所定の第３の閾値以下であるか否か、または、測定した上りリンクのランダムアクセスチャネルの受信数が所定の第４の閾値以下であるか否かを判定する。【０１６８】
測定した上りリンクのランダムアクセスチャネルの周波数帯域の受信電力が所定の第３の閾値以下である場合、または、測定した上りリンクのランダムアクセスチャネルの受信数が所定の第４の閾値以下である場合には（ステップＳ１００６：ＹＥＳ）、自基地局装置２００のカバーするセル内に在圏する各移動局に対して、ランダムアクセスチャネルの周波数帯域幅を狭めることを通知する（ステップＳ１００８）。このとき、ランダムアクセスチャネルの周波数帯域幅を狭めることを通知された移動局は、その狭められたランダムアクセスチャネルの周波数帯域において、ランダムアクセスチャネルの送信を行う。【０１６９】
また、測定した上りリンクのランダムアクセスチャネルの周波数帯域の受信電力が所定の第３の閾値より大きい場合で、かつ、測定した上りリンクのランダムアクセスチャネルの受信数が所定の第４の閾値より大きい場合には、処理を終了する（ステップＳ１００６：ＮＯ）。この場合、結果として、ランダムアクセスチャネルの周波数帯域は変更されないことになる。【０１７０】
ここで、ランダムアクセスチャネルの周波数帯域幅を狭めるや広げるということは、例えば、ランダムアクセスチャネルが送信される周波数帯域の数を減らす、あるいは、増やすということである。すなわち、６個のリソースブロックからなるランダムアクセスチャネルの周波数帯域の数、すなわち、物理ランダムアクセスチャネルの数を減らす、あるいは、増やすということであってもよい。【０１７１】
尚、ステップＳ１００４において、測定した上りリンクのランダムアクセスチャネルの周波数帯域の受信電力が所定の第１の閾値以上であるか否か、または、測定した上りリンクのランダムアクセスチャネルの受信数が所定の第２の閾値以上であるか否かを判定しているが、代わりに、測定した上りリンクのランダムアクセスチャネルの周波数帯域の受信電力が所定の第１の閾値以上であるか否か、かつ、測定した上りリンクのランダムアクセスチャネルの受信数が所定の第２の閾値以上であるか否かを判定してもよい。【０１７２】
ステップＳ１００６において、測定した上りリンクのランダムアクセスチャネルの周波数帯域の受信電力が所定の第３の閾値以下であるか否か、または、測定した上りリンクのランダムアクセスチャネルの受信数が所定の第４の閾値以下であるか否かを判定しているが、代わりに、測定した上りリンクのランダムアクセスチャネルの周波数帯域の受信電力が所定の第３の閾値以下であるか否か、かつ、測定した上りリンクのランダムアクセスチャネルの受信数が所定の第４の閾値以下であるか否かを判定してもよい。【０１７３】
次に、本実施例に係る基地局装置２００における通信制御方法について、図１２を参照して説明する。【０１７４】
基地局装置２００は、自基地局装置２００がカバーするセル内において通信中の移動局１００ｎの、上りリンクのランダムアクセスチャネルの内の個別プリアンブルの受信数を測定する（ステップＳ１２０２）。【０１７５】
基地局装置２００は、測定した上りリンクのランダムアクセスチャネル内の個別プリアンブルの受信数が所定の第１の閾値以上であるか否かを判定する（ステップＳ１２０４）。【０１７６】
測定した上りリンクのランダムアクセスチャネルの内の個別プリアンブルの受信数が所定の第１の閾値以上である場合には（ステップＳ１２０４：ＹＥＳ）、自基地局装置２００のカバーするセル内に在圏する各移動局に対して、ランダムアクセスチャネルの内の個別プリアンブルの領域を広げ、かつ、ランダムに送信されるプリアンブルの領域を狭めることを通知する（ステップＳ１２１０）。このとき、ランダムアクセスチャネルの内の個別プリアンブルの領域を広げ、かつ、ランダムに送信されるプリアンブルの領域を狭めることを通知された移動局は、その広げられた個別プリアンブルの領域において、個別プリアンブルの送信を行う。また、その狭められた、ランダムに送信されるプリアンブルの領域において、ランダムに送信されるプリアンブルの送信を行う。【０１７７】
また、測定した上りリンクのランダムアクセスチャネルの内の個別プリアンブルの受信数が所定の第１の閾値より小さい場合には（ステップＳ１２０４：ＮＯ）、ステップＳ１２０６に進む。【０１７８】
ステップＳ１２０６において、測定した上りリンクのランダムアクセスチャネル内に個別プリアンブルの受信数が所定の第２の閾値以下であるか否かを判定する。【０１７９】
測定した上りリンクのランダムアクセスチャネルの内の個別プリアンブルの受信数が所定の第２の閾値以下である場合には（ステップＳ１２０６：ＹＥＳ）、自基地局装置２００のカバーするセル内に在圏する各移動局に対して、個別プリアンブルの領域を狭め、かつ、ランダムに送信されるプリアンブルの領域を広げることを通知する（ステップＳ１２０８）。このとき、個別プリアンブルの領域を狭め、かつ、ランダムに送信されるプリアンブルの領域を広げることを通知された移動局は、その狭められた個別プリアンブルの領域において、ランダムアクセスチャネルの送信を行う。また、その広げられた、ランダムに送信されるプリアンブルの領域において、ランダムに送信されるプリアンブルの送信を行う。【０１８０】
また、測定した上りリンクのランダムアクセスチャネルの内の個別プリアンブルの受信数が所定の第２の閾値より大きい場合には、処理を終了する（ステップＳ１２０６：ＮＯ）。この場合、結果として、ランダムアクセスチャネルの個別プリアンブルの領域及びランダムに送信されるプリアンブルの領域は変更されないことになる。【０１８１】
ここで、個別プリアンブルの領域を広げる、あるいは、狭めるということは、例えば、個別プリアンブルのIDの領域を増やす、あるいは、減らすということである。また、ランダムに送信されるプリアンブルの領域を広げる、あるいは、狭めるということは、例えば、ランダムに送信されるプリアンブルのIDの領域を増やす、あるいは、減らすということである。【０１８２】
次に、本実施例に係る基地局装置２００における通信制御方法について、図１３を参照して説明する。【０１８３】
基地局装置２００は、自基地局装置２００がカバーするセル内において通信中の移動局１００ｎの、上りリンクのランダムアクセスチャネルの内の、優先度の高い、ランダムに送信されるプリアンブルの受信数を測定する（ステップＳ１３０２）。【０１８４】
基地局装置２００は、測定した上りリンクのランダムアクセスチャネル内の、優先度の高い、ランダムに送信されるプリアンブルの受信数が所定の第１の閾値以上であるか否かを判定する（ステップＳ１３０４）。【０１８５】
測定した上りリンクのランダムアクセスチャネルの内の、優先度の高い、ランダムに送信されるプリアンブルの受信数が所定の第１の閾値以上である場合には（ステップＳ１３０４：ＹＥＳ）、自基地局装置２００のカバーするセル内に在圏する各移動局に対して、ランダムアクセスチャネルの内の、優先度の高い、ランダムに送信されるプリアンブルの領域を広げ、かつ、優先度の低い、ランダムに送信されるプリアンブルの領域を狭めることを通知する（ステップＳ１３１０）。このとき、優先度の高い、ランダムに送信されるプリアンブルの領域を広げ、かつ、優先度の低い、ランダムに送信されるプリアンブルの領域を狭めることを通知された移動局は、その広げられた優先度の高い、ランダムに送信されるプリアンブルの領域において、優先度の高い、ランダムに送信されるプリアンブルの送信を行う。また、その狭められた、優先度の低い、ランダムに送信されるプリアンブルの領域において、優先度の低い、ランダムに送信されるプリアンブルの送信を行う。【０１８６】
また、測定した上りリンクのランダムアクセスチャネルの内の、優先度の高い、ランダムに送信されるプリアンブルの受信数が所定の第１の閾値より小さい場合には（ステップＳ１３０４：ＮＯ）、ステップＳ１３０６に進む。【０１８７】
ステップＳ１３０６において、測定した上りリンクのランダムアクセスチャネル内、優先度の高い、ランダムに送信されるプリアンブルの受信数が所定の第２の閾値以下であるか否かを判定する。【０１８８】
測定した上りリンクのランダムアクセスチャネルの内の、優先度の高い、ランダムに送信されるプリアンブルの受信数が所定の第２の閾値以下である場合には（ステップＳ１３０６：ＹＥＳ）、自基地局装置２００のカバーするセル内に在圏する各移動局に対して、優先度の高い、ランダムに送信されるプリアンブルの領域を狭め、かつ、優先度の低い、ランダムに送信されるプリアンブルの領域を広げることを通知する（ステップＳ１３０８）。このとき、優先度の高い、ランダムに送信されるプリアンブルの領域を狭め、かつ、優先度の低い、ランダムに送信されるプリアンブルの領域を広げることを通知された移動局は、その狭められた、優先度の高い、ランダムに送信されるプリアンブルの領域において、ランダムアクセスチャネルの送信を行う。また、その広げられた、優先度の低い、ランダムに送信されるプリアンブルの領域において、優先度の低い、ランダムに送信されるプリアンブルの送信を行う。【０１８９】
また、測定した上りリンクのランダムアクセスチャネルの内の、優先度の高い、ランダムに送信されるプリアンブルの受信数が所定の第２の閾値より大きい場合には、処理を終了する（ステップＳ１３０６：ＮＯ）。この場合、結果として、ランダムアクセスチャネルの、優先度の高い、ランダムに送信されるプリアンブルの領域及び優先度の低い、ランダムに送信されるプリアンブルの領域は変更されないことになる。【０１９０】
ここで、優先度の高い、ランダムに送信されるプリアンブルの領域を広げる、あるいは、狭めるということは、例えば、優先度の高い、ランダムに送信されるプリアンブルのIDの領域を増やす、あるいは、減らすということである。また、優先度の低い、ランダムに送信されるプリアンブルの領域を広げる、あるいは、狭めるということは、例えば、優先度の低い、ランダムに送信されるプリアンブルのIDの領域を増やす、あるいは、減らすということである。【０１９１】
尚、図１３を参照して説明した、基地局装置２００における通信制御方法においては、優先度の高い、ランダムに送信されるプリアンブルの領域と、優先度の低い、ランダムに送信されるプリアンブルの領域とが定義されている場合を示したが、代わりに、無線品質の高い、ランダムに送信されるプリアンブルの領域と、無線品質の低い、ランダムに送信されるプリアンブルの領域とが定義されている場合にも、同様の通信制御方法を適用することが可能である。【０１９２】
本発明の実施例によれば、上りリンクにおける、ランダムアクセスチャネルの干渉量を正確に測定できる。また、上記ランダムアクセスチャネルの干渉量に基づき、ランダムアクセスチャネルの送信規制や、ランダムアクセスチャネルの周波数リソースの変更を行うことにより、効率良く無線リソースを管理することができる。【０１９３】
本発明の実施例によれば、上りリンクにおける、ランダムアクセスチャネルの干渉量を正確に測定でき、かつ、効率よくリソースを管理することができる。【０１９４】
本発明の実施例によれば、個別プリアンブルやランダムに送信されるプリアンブルの混雑度を推定することができ、効率良くリソースの割り当てを行うことができる。【０１９５】
本発明の実施例によれば、優先度の高い、ランダムに送信されるプリアンブルや、優先度の低い、ランダムに送信されるプリアンブルの混雑度を推定することができ、効率良くリソースの割り当てを行うことができる。【０１９６】
尚、上述した例において、ランダムアクセスチャネルの周波数帯域の受信電力やランダムアクセスチャネルの受信数は、ランダムアクセスチャネルが送信されるサブフレームにおける瞬時値を測定してもよいし、例えば１秒間の平均値を測定してもよい。あるいは、ランダムアクセスチャネルの受信数に関しては、例えば１秒間の合計値を測定してもよい。あるいは、ランダムアクセスチャネルの周波数帯域の受信電力やランダムアクセスチャネルの受信数として、所定の時間間隔、例えば、１００ｍｓ間の平均値または合計値を測定し、かつ、上記平均値または合計値を以下の式（１）を用いてフィルタリングを行った後の値（Fn）を測定してもよい。【０１９７】
Fn=(1-a)・Fn-1+a・Mn        式（１）
Fn: アップデートされたフィルタリング後の値
Fn-1: 古いフィルタリング後の値
a: フィルタリング係数
Mn: 所定の時間間隔、例えば、１００ｍｓ間の平均値または合計値
尚、aの値として、例えば、1/2(k/2) (k = 0, 1, 2, …, )といった値を設定することができる。また、上記所定の時間間隔は１００ｍｓ以外の値でもよく、２００ｍｓであったり、８０ｍｓであったり、様々な値を設定することができる。【０１９８】
また、周波数方向に関しても、ランダムアクセスチャネルの周波数帯域の受信電力やランダムアクセスチャネルの受信数の値を平均化して測定してもよい。すなわち、同じサブフレームに２個のランダムアクセスチャネルが送信される周波数帯域が存在する場合に、上記２個のランダムアクセスチャネルが送信される周波数帯域に関して平均した値を測定してもよい。あるいは、ランダムアクセスチャネルの受信数に関しては、合計値を測定してもよい。【０１９９】
あるいは、出力結果として、物理ランダムアクセスチャネル（Ｐｈｙｓｉｃａｌ  Ｒａｎｄｏｍ  Ａｃｃｅｓｓ  Ｃｈａｎｎｅｌ）あたりのランダムアクセスチャネルの周波数帯域の受信電力やランダムアクセスチャネルの受信数を測定してもよい。この場合、１つの物理ランダムアクセスチャネルあたりの混雑度を推定することができるため有益である。また、平均を行う場合には、単純な算術平均を行ってもよく、あるいは、忘却係数を用いた平均を行ってもよい。【０２００】
また、本発明に係る基地局装置は、上述した平均化区間や忘却係数等を、パラメータとして設定することのできる構成を備えることとする。【０２０１】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及び通信制御方法は、上りリンクにおいてシングルキャリア−周波数分割多元接続方式や直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式を用いる全てのシステムにおいて適用することが可能である。【０２０２】
本国際出願は２００７年１月１９日に出願した日本国特許出願２００７−０１０８５９号、２００７年１月２９日に出願した日本国特許出願２００７−０１８５７８号、２００７年６月６日に出願した日本国特許出願２００７−１５０９３５号及び２００７年１０月２日に出願した日本国特許出願２００７−２５９２４０号に基づく優先権を主張するものであり、２００７−０１０８５９号、２００７−０１８５７８号、２００７−１５０９３５号及び２００７−２５９２４０号の全内容を本国際出願に援用する。
【図１】
2008087941.tif 000004
【図２】
2008087941.tif 000005
【図３】
2008087941.tif 000006
【図４】
2008087941.tif 000007
【図５】
2008087941.tif 000008
【図６】
2008087941.tif 000009
【図７】
2008087941.tif 000010
【図８】
2008087941.tif 000011
【図９】
2008087941.tif 000012
【図１０】
2008087941.tif 000013
【図１１】
2008087941.tif 000014
【図１２】
2008087941.tif 000015
【図１３】
2008087941.tif 000016
【国際調査報告】
2008087941.tif 000017
2008087941.tif 000018
2008087941.tif 000019
2008087941.tif 000020